(57)【要約】      （修正有）【課題】建築物の基礎立ち上がり部の床下換気口（開口部）は基礎立ち上がり部の建築材料等の結露による腐れやカビを防止するための通気を確保するためのものであるため、密閉してしまうのは望ましくないが、豪雨時等によく起こる水害の１つである床下浸水時においてはやはり、開口部からの水の浸入があるためにそれを防止する事と、さらに冬季の冷気進入防止をする事。【解決手段】換気口２の外周よりも大きめの蓋３は、建築物基礎立ち上がり部１と接する部分にパッキン５と内壁に設けた外れ防止具７を備えている。水害時等に外部から大きな圧力がかかった場合や冬季に、パッキン５が基礎１と密着する様に取手４をもって蓋３を開口部２にはめ込む。【選択図】図１
2007132100.tif 000002
【特許請求の範囲】
【請求項１】
建築物基礎立ち上がり部１の換気口用開口部２に設けた容易に取り付け取り外しできる密閉性の高い蓋３と、蓋３の正面に取り付け取り外しの為の取手４と、蓋３の内壁８周囲に密閉性を高める為のパッキン５と、蓋３の内壁８両端に取り付けた蓋３の欠落防止の為の蓋外れ防止具７とからなる床下換気口用蓋。
【請求項２】
豪雨時等には、河川等から氾濫した水の建築物床下への侵入を防止し、冬季には、建築物の床下から建築物内部への冷気の侵入を遮断するように浸水防止用蓋を建築物の床下換気口に使用する浸水防止蓋の使用方法。
【発明の詳細な説明】
【技術分野】
【０００１】
本発明は、主に建築物を水害（床下浸水）の危険性から回避することを目的とした床下換気口用蓋に関する。
【背景技術】
【０００２】
従来、建築物の床下換気口には昆虫（害虫）や台風時等の強風が入り込むのを防止する蓋等は存在するが、豪雨時等に少なくない水害の１つである床下浸水を防止することを目的とした密閉性の高い蓋というのは存在しなかった。
【特許文献１】実用新案登録第３１１０９５４
【特許文献２】実開平１−１５３００６
【発明の開示】
【発明が解決しようとする課題】
【０００３】
従来の床下換気口はたとえ蓋付き、もしくは開閉式の換気口でいかに容易に短時間のうちに安定性よく取り付け取り外しが可能なものでも、建築物施工業者（以下単に業者という）が施工を行わなくてはならず、必要時に建築主等の判断で取り付け取り外しが可能な蓋等は存在しなかった。すでに建築済みで床下換気口が固定されている場合においても、特に業者を必要とせず容易な説明のみで建築主等が豪雨時の水害（床下浸水）に備えて建築物を保守する目的で床下換気口に蓋をするということは皆無であるといっても過言ではなかった。しかも、建築材料の結露からくる腐れやカビを防止する為に床下の通気を確保することが目的であるところの床下換気口は、密閉状態は全く望ましくないが為に、常時少なからず外部の空気の出入りが確保される床下換気口の存在が必要である故に、水害（床下浸水）を免れることはできないという欠点があった。
【０００４】
そこで発明されたのが、本発明であり、その目的とするところは、建築物の床下にある換気口の建築材料の結露及び腐れやカビを防止する為床下の通気性を確保するという目的を排すことなく施工済みの床下換気口に、豪雨時等の状況に応じて臨機応変に容易に取り付け取り外しができて、床下浸水という水害の防止に備えることができる床下換気口用浸水防止蓋（以下単に蓋という）を提供することにある。
【０００５】
本発明は建築物の床下基礎立ち上がり部１に形成した床下換気口（以下単に開口部という）２に、蓋３を密着させることにおいて、前述の目的を達成する為に以下の技術的手段を講じている。
【課題を解決するための手段】
【０００６】
すなわち、本発明は前記開口部（換気口）２の外周よりも大きめの蓋３の建築物基礎立ち上がり部１と接する部分にパッキン５と、蓋３の内壁８に設けた外れ防止具７とが備わっており、蓋３の正面中央部に設けた取手４を持って蓋３を開口部２に容易にはめ込むと同時に、水害時等に外部から大きな圧力（浸水による水圧）がかかった場合、蓋３のパッキン５が基礎１と密着することで開口部２に密閉性の高い蓋を形成しうることを特徴としている。
【発明の効果】
【０００７】
上記の密閉性の高い蓋による作用は次の通りである。すなわち、豪雨時等に想定される水害（床下浸水）の原因の１つである開口部２を密閉性の高い蓋３で覆うことで開口部２からの水の侵入を防止することができる。
【０００８】
上述したように、本発明の床下換気口用蓋３は、豪雨時等に床下換気口２からの水の侵入を防止し、水害（床下浸水）を防ぐことができる。
【０００９】
また、上記の効果以外にも、冬季の冷たい空気の床下からの侵入を防ぎ、建築物内の暖房効率を上げ、省エネルギ−に役立てることも可能である。
【発明を実施するための最良の形態】
【００１０】
建築物基礎立ち上がり部にある床下換気口に、換気口方向（蓋の内壁）にパッキンのついた浸水防止蓋をその正面にある取手を持って、換気口に向かって押し込む。そのままでは、蓋が欠落するおそれがある為蓋の内壁の両端に設けた外れ防止具が床下換気口（開口部）を押さえつけることにより固定される。
【実施例】
【００１１】
以下添付図面に基づいて本発明の実施例を説明する。
【００１２】
図においては、１は建築物基礎立ち上がり部で床下換気口（開口部）２を有する。
【００１３】
３は、耐久性の金属等適宜素材にて形成された蓋、４は蓋３取り付け取り外しのための蓋３正面中央部に設けた取手で、取手４を設けることで、蓋３の取り付け取り外しが容易になる。
【００１４】
５は、蓋３の内壁８が開口部２を設けてある建築物基礎立ち上がり部１と接する部分の密閉性を高めるパッキンで、さらに蓋３の内壁８の両端に設けた外れ防止具７が開口部２の基礎外部１１に面する壁９を押さえつけて蓋３を開口部２の外側に固定する。
【００１５】
本発明の実施例は上述の如き構成からなるものであるから、蓋３を豪雨時等に想定される水害（床下浸水）等から建築物を保守する為に用いることは勿論であるが、冬季の冷たい空気の床下からの侵入を遮断し建築物内部の暖房効率を上げ、省エネルギ−に役立てる為に用いることも可能である。
【００１６】
図４断面図は、すでに建築済みの建築物の床下換気口２に採用した場合のものである為、蓋３は建築物基礎立ち上がり部１の外部の壁に接した状態で設置される。要するに蓋は後付の状態である。
【００１７】
上記のものに対して、図５断面図は、これから建築しようとする建築物に施工する場合の実施例である。そのため、建築物基礎立ち上がり部１に開口部２を施工する際、蓋３を取り付け取り外しするためのくぼみ１２を開口部２の外側に建築段階で設けておき、そのくぼみ１２に沿って耐久性の金属等適宜素材にて形成された枠６を設け、通常蓋３を使用しない場合はこの状態で使用される。
【００１８】
水害時及び冬季等に蓋３を使用する段階において、枠６に沿ってパッキン１３を貼り付け、その上から蓋３を取り付ける。このとき、蓋３内壁側のパッキン５とパッキン１３とが接することで、蓋３の密閉性がより増加する。
【００１９】
特に、水害時等外部からの水圧が予想される為、それにより開口部２に取り付けられた蓋３は密閉性がさらに増加し、水の開口部２からの侵入を防止することが可能になるのである。
【００２０】
水害時以外に蓋３を使用する場合（冬季の冷気の床下からの進入防止や害虫の床下への侵入防止等）には、開口部２側に貼り付けたパッキン１３はその状況に応じて貼り付けずに蓋３を取り付けることも可能である。
【００２１】
その蓋は、開口部の形状や大きさや位置に対しても、造作や装着が単純なもののため蓋体の造作を変えることなくサイズ変更のみで柔軟に対応できる。
【００２２】
また、蓋３の金属の材質を耐久性の高いものにすることにより、繰り返し使用が可能になり経済面から見ても優れている。
【図面の簡単な説明】
【００２３】
【図１】本発明に係る床下換気口用浸水防止蓋の実施例を示す斜視図
【図２】同床下換気口用浸水防止蓋の内壁側から見た斜視図
【図３】同床下換気口用浸水防止蓋を建築物基礎立ち上がり部に採用した状態を示す斜視図
【図４】同床下換気口用浸水防止蓋の実施例を示すＡ−Ａ線断面図
【図５】同床下換気口用浸水防止蓋の新築建築物等に建築段階から備え付けておく場合の実施例を示すＡ−Ａ線断面図
【符号の説明】
【００２４】
１  建築物の基礎立ち上がり部
２  建築物の床下換気口（開口部）
３  床下換気口用蓋
４  蓋取手
５  蓋の内壁に設けたパッキン
６  床下換気口（開口部）の外側のくぼみに設けた枠
７  蓋外れ防止具
８  蓋の内壁
９  建築物の床下換気口（開口部）の外側につながる壁
１０  建築物基礎内部
１１  建築物基礎外部
１２  建築物の床下換気口（開口部）の外側のくぼみ
１３  建築物の床下換気口（開口部）の外側のくぼみに設けた枠に貼り付けるパッキン
【図１】
2007132100.tif 000003
【図２】
2007132100.tif 000004
【図３】
2007132100.tif 000005
【図４】
2007132100.tif 000006
【図５】
2007132100.tif 000007